(57)【要約】 【課題】  傾斜面における自動販売機の据付作業を迅速、容易且つ確実に行うことができる据付面形成用型枠を提供する。【解決手段】  傾斜面に経時硬化性材料を打設して水平な据付面を形成するための据付面形成用型枠であって、上下に開口する枠状の型枠本体１０と、型枠本体１０に収容可能な水平出し部材２０とを備え、水平出し部材２０は、平板状の基部２２と、基部２２からの突出長さを調整可能な複数の高さ調整具２４と、基部２２に取り付けられ基部２２の水平を測定する水平器２６とを備える。【選択図】  図１
2013117878.tif 000002
【特許請求の範囲】
【請求項１】
傾斜面に経時硬化性材料を打設して水平な据付面を形成するための据付面形成用型枠であって、
上下に開口する枠状の型枠本体と、前記型枠本体に収容可能な水平出し部材とを備え、
前記水平出し部材は、平板状の基部と、前記基部からの突出長さを調整可能な複数の高さ調整具と、前記基部に取り付けられ前記基部の水平を測定する水平器とを備える据付面形成用型枠。
【請求項２】
前記基部は、傾斜面に埋設されるアンカーボルトとの間で位置決めを行うための位置決め孔を有する請求項１に記載の据付面形成用型枠。
【請求項３】
前記型枠本体は、上側開口面に対して下側開口面が傾斜するように形成されている請求項１または２に記載の据付面形成用型枠。
【請求項４】
請求項１から３のいずれかに記載の据付面形成用型枠を用いた自動販売機の据付方法であって、
傾斜面に前記型枠本体を載置して前記水平出し部材を収容し、前記基部が水平となるように前記高さ調整具を調整した後、前記基部の周縁に沿って前記型枠本体の内周面に水平ラインをマーキングすると共に、傾斜面から露出部が鉛直上方に延びるようにアンカーボルトを埋設する工程と、
前記型枠本体に前記アンカーボルトを収容した状態で、前記型枠本体内に水平ラインまで経時硬化性材料を充填する工程と、
互いに平行な上面と下面との間に貫通孔が形成された平板ブロックを、前記経時硬化性材料が半硬化の状態で、前記アンカーボルトが前記貫通孔に挿通されるように前記経時硬化性材料の上面に載置する工程と、
前記経時硬化性材料の硬化後に、自動販売機の脚部を前記平板ブロックの上面に載置して、前記アンカーボルトおよび固定金具を用いて前記脚部を固定する工程とを備える自動販売機の据付方法。
【発明の詳細な説明】
【技術分野】
【０００１】
本発明は、据付面形成用型枠およびこれを用いた自動販売機の据付方法に関する。
【背景技術】
【０００２】
自動販売機の据え付けに際しては、据付面の傾斜に応じて自動販売機の底部四隅に設けられたレベリングスクリューの高さ調整を行うのが一般的である。ところが、据付面の傾斜角度が大きいと、レベリングスクリューの底面と据付面とが片当たりの状態になって据え付けが不安定になるおそれがあった。このため、特許文献１には、傾斜角度が異なる種々の傾斜面に対して自動販売機を据付けることができる傾斜面設置用器材が開示されているが、据付強度を確保するために製造コストが高くなるおそれがあった。
【０００３】
傾斜面に対する従来の自動販売機の据付方法としては、図５（ａ）に示すように、傾斜面Ｓの一部をはつる（削る）ことにより水平部Ｈを形成し、自動販売機６０の脚部６２を固定金具５０およびアンカーボルト３０により水平部Ｈに取り付ける方法が知られているが、傾斜面Ｓを構成するコンクリート等をはつる作業が困難であり、また自動販売機６０を撤去した後の修復作業も煩雑なものとなっていた。また、図５（ｂ）に示すように、上面が水平な状態で下面が傾斜するコンクリート製等の傾斜ブロック７０を傾斜面Ｓに固定して、自動販売機６０の脚部６２を固定金具５０およびアンカーボルト３０により傾斜ブロック７０の上面に取り付ける方法や、図５（ｃ）に示すように、上面が水平な状態で傾斜面Ｓにアンカーボルト３０で固定可能な金属製の傾斜ブロック７２を用いて、自動販売機６０の脚部６２を固定金具５０およびボルト３２により傾斜ブロック７２の上面に取り付ける方法も知られているが、実際の傾斜面Ｓの傾斜角度に合致する傾斜ブロック７０，７２を選択することが困難であるという問題があった。
【先行技術文献】
【特許文献】
【０００４】
【特許文献１】特開２００５−６２９８０号公報
【発明の概要】
【発明が解決しようとする課題】
【０００５】
そこで、本発明は、傾斜面における自動販売機の据付作業を迅速、容易且つ確実に行うことができる据付面形成用型枠およびこれを用いた自動販売機の据付方法を提供することを目的とする。
【課題を解決するための手段】
【０００６】
本発明の前記目的は、傾斜面に経時硬化性材料を打設して水平な据付面を形成するための据付面形成用型枠であって、上下に開口する枠状の型枠本体と、前記型枠本体に収容可能な水平出し部材とを備え、前記水平出し部材は、平板状の基部と、前記基部からの突出長さを調整可能な複数の高さ調整具と、前記基部に取り付けられ前記基部の水平を測定する水平器とを備える据付面形成用型枠により達成される。
【０００７】
この据付面形成用型枠において、前記基部は、傾斜面に埋設されるアンカーボルトとの間で位置決めを行うための位置決め孔を有することが好ましい。
【０００８】
また、前記型枠本体は、上側開口面に対して下側開口面が傾斜するように形成されていることが好ましい。
【０００９】
また、本発明の前記目的は、上記の据付面形成用型枠を用いた自動販売機の据付方法であって、傾斜面に前記型枠本体を載置して前記水平出し部材を収容し、前記基部が水平となるように前記高さ調整具を調整した後、前記基部の周縁に沿って前記型枠本体の内周面に水平ラインをマーキングすると共に、傾斜面から露出部が鉛直上方に延びるようにアンカーボルトを埋設する工程と、前記型枠本体に前記アンカーボルトを収容した状態で、前記型枠本体内に水平ラインまで経時硬化性材料を充填する工程と、互いに平行な上面と下面との間に貫通孔が形成された平板ブロックを、前記経時硬化性材料が半硬化の状態で、前記アンカーボルトが前記貫通孔に挿通されるように前記経時硬化性材料の上面に載置する工程と、前記経時硬化性材料の硬化後に、自動販売機の脚部を前記平板ブロックの上面に載置して、前記アンカーボルトおよび固定金具を用いて前記脚部を固定する工程とを備える自動販売機の据付方法により達成される。
【発明の効果】
【００１０】
本発明によれば、傾斜面における自動販売機の据付作業を迅速、容易且つ確実に行うことができる据付面形成用型枠およびこれを用いた自動販売機の据付方法を提供することができる。
【図面の簡単な説明】
【００１１】
【図１】本発明の一実施形態に係る据付面形成用型枠の平面図である。
【図２】図１に示す据付面形成用型枠の矢示Ａ方向の分解側面図である。
【図３】図１に示す据付面形成用型枠の矢示Ｂ方向の要部側面図である。
【図４】本発明の一実施形態に係る据付面形成用型枠を用いた自動販売機の据付方法を説明するための工程断面図である。
【図５】従来の自動販売機の据付方法を説明するための断面図である。
【発明を実施するための形態】
【００１２】
以下、本発明の実施の形態について、添付図面を参照して説明する。図１は、本発明の一実施形態に係る据付面形成用型枠の平面図であり、図２は、図１に示す据付面形成用型枠の矢示Ａ方向の分解側面図である。図１および図２に示すように、据付面形成用型枠１は、上下に開口する枠状の型枠本体１０と、型枠本体１０の内部に収容可能な水平出し部材２０とを備えている。図３は、図１に示す型枠本体１０を矢示Ｂ方向にみた側面図である。
【００１３】
型枠本体１０は、下側開口周縁に沿ってフランジ部１２が形成されており、施工時にはフランジ部１２が施工現場の傾斜面に当接するように設置される。図１に示すように、型枠本体１０は、傾斜面への設置時に上方から下方に向けて内寸法幅Ｗが僅かに拡がる平面視略矩形状に形成されている。型枠本体１０の平面視形状は、特に限定されるものではなく、例えば、円形状、楕円形状、三角形状、多角形状などであってもよい。
【００１４】
図２および図３に示すように、型枠本体１０は、上側開口面１１ａから下側開口面１１ｂに向けてテーパ状に拡がっており、上側開口面１１ａに対して下側開口面１１ｂが傾斜するように形成されている。図３に示す上側開口面１１ａと下側開口面１１ｂとのなす角度αは、施工現場における傾斜面Ｓの平均的な傾斜角度に合わせて設定することが好ましく、例えば約１０°である。上側開口の左右両側には、傾斜方向に沿って延びる補強用のつば部１４，１４が折曲形成されている。
【００１５】
水平出し部材２０は、平板状の基部２２と、基部２２に装着される複数の高さ調整ボルト２４と、基部２２の水平を測定する水平器２６とを備えている。基部２２は、型枠本体１０の内周面との間に若干の隙間が生じる大きさとされており、上面の四隅に形成された貫通孔（図示せず）の周縁にナット２３が固定されている。基部２２の中央近傍には、後述するアンカーボルトに対する位置決めを行うための位置決め孔２８が形成されている。
【００１６】
高さ調整ボルト２４は、それぞれナット２３に螺合され、回転によって基部２２の下面から突出する突出部２４ａの長さを個別に調整することができる。高さ調整ボルト２４の数は、本実施形態の４個に限定されず、複数であればよく、基部２２の形状や大きさ等に応じて適宜設定可能である。また、高さ調整ボルト２４に代えて、エアシリンダや伸縮パイプ、あるいは、型枠本体１０の内周面に対する係合高さを多段に調整可能な係合爪など、他の高さ調整具を使用してもよい。
【００１７】
水平器２６は、互いに直交配置された２つの気泡管２６ａ，２６ｂを備えており、各気泡管２６ａ，２６ｂが基部２２と平行になるように基部２２の上面に取り付けられている。水平器２６は、気泡式以外にレーザ式など他の方式のものを使用してもよい。水平器２６は、基部２２に対してネジや接着等により固定してもよく、あるいは、磁石等により着脱自在としてもよい。
【００１８】
次に、上記の据付面形成用型枠１を用いた自動販売機の据付方法を説明する。まず、図４（ａ）に示すように、傾斜面Ｓにアンカーボルト３０を打設する。例えば、傾斜面Ｓに形成した下孔にコーンナット式のアンカーを垂直に打ち込み、下孔内でコーンナットを軸方向に移動させてスリーブを拡張することにより固定する。そして、アンカーの雌ネジ部に寸切りボルトをねじ込むことにより、寸切りボルトの露出部が鉛直上方に延びるように固定される。アンカーボルト３０は、コーンナット式以外に、ウェッジ式やテーパボルト式など他の締付方式であってもよい。
【００１９】
ついで、図４（ｂ）に示すように、アンカーボルト３０の露出部を収容するように型枠本体１０を傾斜面Ｓに載置する。傾斜面Ｓがタイル面などの場合には、撤去時の損傷を防止するために予めゴム板を敷いておき、ゴム板の上に型枠本体１０を載置するようにしてもよい。
【００２０】
次に、図４（ｃ）に示すように、水平出し部材２０を、基部２２の位置決め孔２８にアンカーボルト３０の露出部を挿通させるようにして型枠本体１０内に収容する。こうして、水平出し部材２０および型枠本体１０とアンカーボルト３０との位置決めを行った後、型枠本体１０のフランジ部１２と傾斜面Ｓとの間を全周にわたってガムテープ等で固定する。そして、水平器２６の各気泡管の気泡が中央に位置するように、各高さ調整ボルト２４の突出部２４ａの突出長さを個別に調整し、基部２２の水平出しを行う。この後、型枠本体１０の内周面に基部２２に沿ってマーキングを施すことで、図４（ｄ）に示すように水平ラインＬを形成する。型枠本体１０の内周面に被マーキング体となるテープを予め貼着しておくことにより、水平ラインＬのマーキングが容易になると共に、使用後はテープを剥離して再利用を容易に行うことができる。本実施形態の型枠本体１０は、上側開口面１１ａに対して下側開口面１１ｂが傾斜するように形成されているので、傾斜面Ｓに載置したときに上側開口面１１ａの傾斜を緩和することができ、水平ラインＬのマーキングに必要な型枠本体１０の高さが過大になるのを防止することができる。したがって、製造コストの低減が図れると共に、マーキング作業を容易にすることができる。
【００２１】
ついで、傾斜面Ｓに水打ちを適宜行った後、型枠本体１０内に経時硬化性材料Ｍを供給し、図４（ｅ）に示すように、コテ仕上げを行いながら水平ラインＬまで充填する。経時硬化性材料Ｍとしては、モルタルやコンクリート等を例示することができ、水との混練後に短時間（例えば、１０〜２０分程度）で硬化を開始する急硬性材料を好ましく使用することができる。より具体的には、急硬性無収縮モルタルである電気化学工業株式会社製の「デンカハイプレタスコン（商品名）」が好適である。
【００２２】
次に、経時硬化性材料Ｍが硬化を開始した後、図４（ｆ）に示すように、半硬化の状態で型枠本体１０を取り外す。型枠本体１０の内周面には、シリコンスプレー等により予め離型剤を塗布しておくことが好ましい。そして、図４（ｇ）に示すように、経時硬化性材料Ｍの上面に平板ブロック４０を載置する。平板ブロック４０は、例えばＴＢ−８型ブロックを使用することができ、アンカーボルト３０が挿通される貫通孔４２が形成されている。平板ブロック４０の底面にも、経時硬化性材料Ｍとの密着性を良好にするために、予め水打ちを行っておくことが好ましい。
【００２３】
ついで、平板ブロック４０の上面の水平を水平器（図示せず）で見ながら、平板ブロック４０をハンマーの柄などで局所的に叩いて経時硬化性材料Ｍに馴染ませる。こうして、経時硬化性材料Ｍが完全に硬化すると、平板ブロック４０と経時硬化性材料Ｍとが一体化されると共に、平板ブロック４０の上面が水平な据付面Ｆとなる。
【００２４】
この後は、図４（ｈ）に示すように、自動販売機６０の一般的な据付方法と同様、アンカーボルト３０および固定金具５０を用いて自動販売機６０の脚部（レベリング）６２を据付面Ｆに固定する。すなわち、例えば前面側６０ａが傾斜方向下方側となるように自動販売機６０を設置し、自動販売機６０の脚部６２を固定金具５０に係合させると共に、アンカーボルト３０に螺合させたナット５２の締め付けにより、固定金具５０と平板ブロック４０との間に脚部６２下端部を締結する。
【００２５】
上記の説明は、自動販売機６０の脚部６２の１つに対応させたものであるが、通常は設置現場の傾斜状況に応じて複数の据付面Ｆを形成する。例えば、自動販売機６０の４個の脚部６２のうち、前方側の２個が傾斜面に設置され、後方側の２個が水平面に設置される場合には、前方側の２個の脚部６２に対応するように、上記据付方法により据付面Ｆを形成することができる。また、自動販売機６０の設置現場全体が傾斜している場合には、４個の脚部６２が載置される据付面Ｆを上記据付方法により形成すればよい。据付面Ｆは、複数の脚部６２に個別に対応するように複数箇所に形成することができ、それぞれの箇所における据付面Ｆの高さが異なる場合には、脚部６２のレベリングスクリューにより調整することができる。但し、据付面Ｆは、複数の脚部６２が共有可能な大きさで形成してもよい。また、据付面Ｆを形成する傾斜面は一方向の傾斜に限定されず、例えば、頂部を挟んで両側に傾斜する傾斜面に対して頂部を跨ぐように自動販売機を設置する場合にも、上記の据付方法を適用することができる。
【００２６】
本実施形態の据付面形成用型枠１によれば、自動販売機の設置現場における傾斜面の傾斜角度に拘わらず、設置作業者が傾斜面Ｓに経時硬化性材料Ｍを打設して水平且つ安定した据付面Ｆを迅速容易に形成することができる。したがって、自動販売機６０の据付作業を短時間で行うことができると共に、十分な据付強度を確保することができる。
【００２７】
以上、本発明の一実施形態について詳述したが、本発明の具体的な態様は上記実施形態に限定されない。例えば、本実施形態の自動販売機の据付方法は、傾斜面Ｓにアンカーボルト３０を埋設した後に、基部２２の水平出しや、アンカーボルト３０と型枠本体１０等との位置決めを行ってから、型枠本体１０の内周面に水平ラインＬをマーキングするようにしているが（図４（ａ）〜（ｄ））、型枠本体１０の位置決めおよび基部２２の水平出しを先に行って、水平ラインＬをマーキングした後に、傾斜面Ｓにアンカーボルト３０を埋設するようにしてもよい。この場合には、基部２２の水平出しを行った後に、位置決め孔２８を介して傾斜面Ｓにドリルやペンでマーキングすることにより、アンカーボルト３０の下孔形成位置を特定することができ、アンカーボルト３０と基部２２との位置決めを行うことができる。基部２２に形成された位置決め孔２８は、平板ブロック４０を確実に搭載できるように経時硬化性材料Ｍを打設する上で有効であるが、本発明において必須のものではなく、アンカーボルト３０の下孔形成位置を目視で特定することもできる。
【００２８】
また、本実施形態の自動販売機の据付方法は、経時硬化性材料Ｍが半硬化の状態で型枠本体１０を取り外した後に、経時硬化性材料Ｍの上面に平板ブロック４０を載置するようにしているが（図４（ｅ）〜（ｇ））、先に平板ブロック４０を経時硬化性材料Ｍの上面に載置して据付面Ｆの水平出しを行い、経時硬化性材料Ｍが完全に硬化した後に型枠本体１０を取り外すようにしてもよい。
【符号の説明】
【００２９】
１  据付面形成用型枠
１０  型枠本体
１１ａ  上側開口面
１１ｂ  下側開口面
２０  水平出し部材
２２  基部
２４  高さ調整ボルト（高さ調整具）
２６  水平器
２８  位置決め孔
３０  アンカーボルト
４０  平板ブロック
５０  固定金具
６０  自動販売機
６２  脚部
Ｓ  傾斜面
Ｆ  据付面
Ｍ  経時硬化性材料
【図１】
2013117878.tif 000003
【図２】
2013117878.tif 000004
【図３】
2013117878.tif 000005
【図４】
2013117878.tif 000006
【図５】
2013117878.tif 000007
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
傾斜面に経時硬化性材料を打設して水平な据付面を形成するための据付面形成用型枠を用いた自動販売機の据付方法であって、
前記据付面形成用型枠は、上下に開口する枠状の型枠本体と、前記型枠本体に収容可能な水平出し部材とを備え、前記水平出し部材は、位置決め孔を有する平板状の基部と、前記基部からの突出長さを調整可能な複数の高さ調整具と、前記基部に取り付けられ前記基部の水平を測定する水平器とを備え、
傾斜面にアンカーボルトを埋設し、前記アンカーボルトの露出部を鉛直上方に延びるように固定する工程と、
傾斜面に前記型枠本体を載置し、前記水平出し部材を、前記基部の位置決め孔に前記アンカーボルトの露出部を挿通させるようにして前記型枠本体内に収容して、前記水平出し部材および前記型枠本体と前記アンカーボルトとの位置決めを行う工程と、
前記基部が水平となるように前記高さ調整具を調整した後、前記基部の周縁に沿って前記型枠本体の内周面に水平ラインをマーキングする工程と、
前記型枠本体から前記水平出し部材を取り出した後、前記型枠本体に前記アンカーボルトを収容した状態で、前記型枠本体内に水平ラインまで経時硬化性材料を充填する工程と、
互いに平行な上面と下面との間に貫通孔が形成された平板ブロックを、前記経時硬化性材料が半硬化の状態で、前記アンカーボルトが前記貫通孔に挿通されるように前記経時硬化性材料の上面に載置する工程と、
前記経時硬化性材料の硬化後に、自動販売機の脚部を前記平板ブロックの上面に載置して、前記アンカーボルトおよび固定金具を用いて前記脚部を固定する工程とを備える据付面形成用型枠を用いた自動販売機の据付方法。
【請求項２】
前記型枠本体は、上側開口面に対して下側開口面が傾斜するように形成されている請求項１に記載の据付面形成用型枠を用いた自動販売機の据付方法。
【手続補正３】
【補正対象書類名】明細書
【補正対象項目名】０００１
【補正方法】変更
【補正の内容】
【０００１】
本発明は、据付面形成用型枠を用いた自動販売機の据付方法に関する。
【手続補正４】
【補正対象書類名】明細書
【補正対象項目名】０００５
【補正方法】変更
【補正の内容】
【０００５】
そこで、本発明は、傾斜面における自動販売機の据付作業を迅速、容易且つ確実に行うことができる、据付面形成用型枠を用いた自動販売機の据付方法を提供することを目的とする。
【手続補正５】
【補正対象書類名】明細書
【補正対象項目名】０００６
【補正方法】変更
【補正の内容】
【０００６】
本発明の前記目的は、傾斜面に経時硬化性材料を打設して水平な据付面を形成するための据付面形成用型枠を用いた自動販売機の据付方法であって、前記据付面形成用型枠は、上下に開口する枠状の型枠本体と、前記型枠本体に収容可能な水平出し部材とを備え、前記水平出し部材は、位置決め孔を有する平板状の基部と、前記基部からの突出長さを調整可能な複数の高さ調整具と、前記基部に取り付けられ前記基部の水平を測定する水平器とを備え、傾斜面にアンカーボルトを埋設し、前記アンカーボルトの露出部を鉛直上方に延びるように固定する工程と、傾斜面に前記型枠本体を載置し、前記水平出し部材を、前記基部の位置決め孔に前記アンカーボルトの露出部を挿通させるようにして前記型枠本体内に収容して、前記水平出し部材および前記型枠本体と前記アンカーボルトとの位置決めを行う工程と、前記基部が水平となるように前記高さ調整具を調整した後、前記基部の周縁に沿って前記型枠本体の内周面に水平ラインをマーキングする工程と、前記型枠本体から前記水平出し部材を取り出した後、前記型枠本体に前記アンカーボルトを収容した状態で、前記型枠本体内に水平ラインまで経時硬化性材料を充填する工程と、互いに平行な上面と下面との間に貫通孔が形成された平板ブロックを、前記経時硬化性材料が半硬化の状態で、前記アンカーボルトが前記貫通孔に挿通されるように前記経時硬化性材料の上面に載置する工程と、前記経時硬化性材料の硬化後に、自動販売機の脚部を前記平板ブロックの上面に載置して、前記アンカーボルトおよび固定金具を用いて前記脚部を固定する工程とを備える据付面形成用型枠を用いた自動販売機の据付方法により達成される。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
この据付面形成用型枠を用いた自動販売機の据付方法において、前記型枠本体は、上側開口面に対して下側開口面が傾斜するように形成されていることが好ましい。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明によれば、傾斜面における自動販売機の据付作業を迅速、容易且つ確実に行うことができる、据付面形成用型枠を用いた自動販売機の据付方法を提供することができる。